(57)【特許請求の範囲】
【請求項１】
（イ）前壁、後壁および両側壁を含んで箱型形状に形成され、前記前壁の外面には操作部材および物品取出口が設けられており、さらに該物品取出口と一端で連通した落下通路を内部に有している装置本体と、
（ロ）前記前壁の上部に切り欠かれて形成された開口から前記装置本体に装着し又は前記開口から引き出し可能とされ、前記装置本体に押し込んだときに開放された上面が前記装置本体により覆われるとともに底部の落下口が前記落下通路の他端と対向するようにされた物品収納ケースと、
（ハ）前記物品収納ケースの底壁に設けられ、下面周縁に環状に形成されたラックと回転方向に沿って複数形成された孔とを有する回転盤と、
（ニ）前記装置本体内に設けられ、前記操作部材の操作を前記回転盤に伝達する動力伝達部とを含み、
前記物品収納ケースを前記前壁上部の開口から前記装置本体に押し込んだときに前記回転盤の前記ラックが装置本体の後壁側で前記動力伝達部とかみ合い、その状態で前記操作部材を操作すると前記回転盤が回転し、この回転により前記複数の孔の何れか一つが前記落下口と対向する位置に導かれた時に、前記物品収納ケース内の物品を前記落下口から前記落下通路へ導出する物品取出装置。
【請求項２】
前記動力伝達部は、回転軸とその後壁近傍に設けられた一又は二以上の歯車からなり、前記操作部材の操作を前記回転軸、前記歯車及び前記ラックを介して前記回転盤へ伝達するものである請求項１に記載の物品取出装置。
【発明の詳細な説明】
【技術分野】
【０００１】
本願発明は、装置本体の操作部材を操作すると、装置本体内に設けられたカプセル等の物品を一つずつ取り出すことができる物品取出装置に関するものである。
【背景技術】
【０００２】
従来、装置本体内に設けられたカプセル等の物品を一つずつ取り出すことができる物品取出装置は、カプセル等の物品を収納する物品収納ケースが装置本体に固定して設けられていた。
【０００３】
【特許文献１】実開昭６２−７８９９８号公報
【特許文献２】実開昭５５−１００２８０号公報
【特許文献３】特開平５−２４２３５２号公報
【発明の開示】
【発明が解決しようとする課題】
【０００４】
従来の物品取出装置は、物品収納ケースに収納した物品を入替える場合、物品収納ケースの開口を塞ぐ蓋体を外し、その開口から手を入れて物品収納ケースの中に収納した物品を全部取り出し、最初とは異なる物品を開口から物品収納ケースに入れ直す必要があるため、極めて面倒であるという問題点があった。
本発明は、上記問題点を解決することを目的とする。
【課題を解決するための手段】
【０００５】
上記目的を達成するために、本発明に係る物品取出装置は、
（イ）前壁、後壁および両側壁を含んで箱型形状に形成され、前記前壁の外面には操作部材および物品取出口が設けられており、さらに該物品取出口と一端で連通した落下通路を内部に有している装置本体と、
（ロ）前記前壁の上部に切り欠かれて形成された開口から前記装置本体に装着し又は前記開口から引き出し可能とされ、前記装置本体に押し込んだときに開放された上面が前記装置本体により覆われるとともに底部の落下口が前記落下通路の他端と対向するようにされた物品収納ケースと、
（ハ）前記物品収納ケースの底壁に設けられ、下面周縁に環状に形成されたラックと回転方向に沿って複数形成された孔とを有する回転盤と、
（ニ）前記装置本体内に設けられ、前記操作部材の操作を前記回転盤に伝達する動力伝達部とを含み、
前記物品収納ケースを前記前壁上部の開口から前記装置本体に押し込んだときに前記回転盤の前記ラックが装置本体の後壁側で前記動力伝達部とかみ合い、その状態で前記操作部材を操作すると前記回転盤が回転し、この回転により前記複数の孔の何れか一つが前記落下口と対向する位置に導かれた時に、前記物品収納ケース内の物品を前記落下口から前記落下通路へ導出するよう構成する。
【０００６】
前記動力伝達部は、例えば、回転軸とその後壁近傍に設けられた一又は二以上の歯車からなり、前記操作部材の操作を前記回転軸、前記歯車及び前記ラックを介して前記回転盤へ伝達するものとすることができる。
【発明を実施するための最良の形態】
【０００７】
本発明の実施の一形態を、図面に基づいて説明する。物品取出装置１は、装置本体３を有する。装置本体３の上部には、物品収納ケース５が設けられている。物品収納ケース５の底壁２１には、回転盤３５が回動自在に設けられ、回転盤３５の周囲にはカプセル等の物品Ａを一つずつ収容する収容孔３９が所定間隔あけて設けられている。物品収納ケース５の底壁２１には、回転盤３５に設けられた複数の収容孔３９の一つに対向する落下口４３が形成されている。装置本体３には、前記物品収納ケース５の落下口４３と対向する落下通路４９が形成され、この落下通路４９は、装置本体３の前壁７下部に形成された物品取出口５１に連通している。装置本体３には、前記物品収納ケース５の落下口４３を狭めることができる開閉部材５３が設けられている。装置本体３の前壁７には、上記開閉部材５３を連結部材６３を介して操作することができる操作レバー７３が設けられている。装置本体３の前壁７には、動力伝達部を介して前記回転盤３５を前記所定間隔分だけ回転させる操作部材８１が設けられている。装置本体３の前壁に、複数の表示面を有する表示部材６５を設け、この表示部材６５の表示面を操作レバー７３の連結部材６３に連動して変えることができる。
【実施例１】
【０００８】
以下、本発明の好適な一実施例を図１乃至図５に基づいて説明する。図１は、本発明の一実施例に係る物品取出装置を示す斜視図である。図２は、上記物品取出装置の物品収納ケースを引き出した状態を示す斜視図である。図３は、上記物品取出装置の内部構造を示す斜視図である。図４は、上記物品取出装置の内部構造を示す斜視図である。図５は、上記物品取出装置の側面断面図である。
【０００９】
物品取出装置１は、箱型形状の装置本体３を有している。装置本体３の前面上部には、物品収納ケース５が引き出し自在に設けられている。装置本体３の前壁７の上部と両側壁９，１１の上部の略半分が切り欠かれて形成されている。また、装置本体３の両側壁９，１１内部には、物品収納ケース５の底壁２１両側部を載置する係合段部１５，１７が形成されている。係合段部１５，１７には、ガイドレール１６，１８が設けられ、物品収納ケース５の底壁２１両側部にはガイドレール１６，１８に係合する係合溝２３，２５が形成されている。
【００１０】
物品収納ケース５は、上面が開放された形の透過性を有する矩形箱形状をなしており、前壁部２７及び両側壁部２９，３１の前部が装置本体３の前壁７の開口７ａと側面９，１１の開口９ａ，１１ａに嵌合するようになっている。物品収納ケース５の底壁２１には、円形状の凹部３３が形成され、この底壁２１は凹部３３に向かって傾斜している。凹部３３内には、回転盤３５が底壁２１に突設された中心軸３７によって回動自在に設けられている。回転盤３５の中心軸３７を中心とした周囲には、内部に小玩具を収容したカプセル等の物品Ａを一つずつ収容することのできる収容孔３９が所定間隔あけて設けられている。回転盤３５の下面周縁には、環状のラック４１が形成されている。
【００１１】
物品収納ケース５の底壁２１には、回転盤３５の周囲に設けられた複数の収容孔３９の一つに対向する落下口４３が形成されている。また、物品収納ケース５の底壁２１には、回転盤３５の下面周縁に設けられたラック４１を突出させる開口４５が形成されている。物品収納ケース５内の前記落下口４３の上方の位置には、この落下口４３に対向する回転盤３５の収容孔３９に物品Ａが入らないようにするためのカバー部材４７が側壁に固定して設けられている。
【００１２】
装置本体３には、物品収納ケース５の落下口４３と対向する落下通路４９が形成され、この落下通路４９は、装置本体３の前壁７下部に形成された物品取出口５１に連通している。装置本体３には、前記物品収納ケース５の落下口４３を狭めることができる開閉部材５３が設けられている。この開閉部材５３は、アーム状に形成され、装置本体３の一側に設けられた受台５５に突設された支軸５７に基端が回動自在に取り付けられ、回転盤３５の下側に設けられている。開閉部材５３は、支軸５７の近傍に係止軸５９が設けられ、この係止軸５９を係止する略Ｕ字状の係合穴６１を先端に備えた連結杆６３によって傾動するようになっている。
【００１３】
連結杆６３の後端は、装置本体３の前壁７に回動自在に設けられた半円柱状の表示部材６５の中心軸６７のクランク状に折れ曲がった端部６９に連結されている。表示部材６５の表面には、後記コイン挿入口９５から挿入すべき金額が表示されている。表示部材６５の一側には、アーム片７１が一体に突設され、このアーム片７１と装置本体３の前壁７から突出する操作レバー７３が略Ｌ字状の連結部材７５によって連結されている。操作レバー７３は、装置本体３の一側に支軸７４により傾動自在に設けられている。
なお、本実施例では、前壁７から操作レバー７３が突出しているが、この構造に限る必要はなく、機構の設計上許される位置であればどこでも構わない。
【００１４】
装置本体３の前壁７には、円盤状の操作部材８１が設けられている。この操作部材８１の回転軸８３は、装置本体３の後壁１３まで伸びて、後壁１３で回動自在に取り付けられている。この回転軸８３の後壁１３近傍には平歯車８５が固設されている。この平歯車８５は、この平歯車８５の上部の後壁１３に回動自在に設けられた小歯車８７とかみ合っている。この小歯車８７は、この小歯車８７の上部の後壁１３に回動自在に設けられた平歯車８９とかみ合っている。この平歯車８９には、一体に駆動歯車９１が設けられており、この駆動歯車９１は、物品収納ケース５の底壁２１の開口４５から突出する回転盤３５の下面周縁に形成された環状のラック４１とかみ合っている。
【００１５】
装置本体３の前壁７内面には、コイン挿入口９３から挿入されるコインを選別するコインセレクター９５が設けられている。このコインセレクター９５は、コイン１枚用と２枚用に切り替えることができ、この切替えは操作レバー７３によって行うことができる。コインセレクター９５は、正規のコインであることを厚みと直径によって機械的に判断し、挿入されたコインが正規のものである場合は、コインセレクター９５内に設けられたコイン搬送円盤が回転可能となり、コインが挿入されない場合及び挿入されたコインが不正のものである場合は、コイン搬送円盤が回転不能となる。
【００１６】
コインセレクター９５のコイン搬送円盤の回転は、前記操作部材８１の回転によって行われる。前記操作部材８１の回転軸８３と平行に中間軸９７が設けられ、この中間軸９７は装置本体３の前壁７と後壁１３に回動自在に設けられている。この中間軸９７の後壁１３近傍には、前記回転軸８３の平歯車８５とかみ合う小歯車９９が固設されている。この中間軸９７の略中間には小ウォーム歯車１０１が固設され、この小ウォーム歯車１０１は、コインセレクター９５の回転軸１０３に設けられた大ウォーム歯車１０５とかみ合っている。この回転軸１０３は、コインセレクター９５の搬送円盤を回転させるようになっている。
【００１７】
前壁７の下部には、開閉扉１１０が設けられている。この開閉扉１１０は、表示部材６５、操作部材８１、コイン挿入口９３を表出させる開口が形成されている。操作レバー７３は、開閉扉１１０によって塞がれ、開閉扉１１０を開けないと操作できないようになっている。開閉扉１１０の下部には、前壁７に形成された物品取出口５１と連通する窓部１１３が形成され、この窓部１１３には、開閉板１１５が後方に回動自在に取り付けられている。開閉板１１５の下部は、後方に回動すると物品取出口５１に回動自在に設けられた蓋体１１７を押し上げ、物品取出口５１から装置本体３内に手が入らないようになっている。また、開閉扉１１０の上端が、物品収納ケース５の底壁２１前部に設けられた突起１９と係合し、開閉扉１１０が開かないと物品収納ケース５を引き出せないようになっている。
【００１８】
物品取出装置１は、上記構成からなり、開閉扉１１０を開け、装置本体３の前壁７開口７ａから、安価な小玩具を内蔵したカプセル等の小さい物品Ａを収納した物品収納ケース５を押し込むと、物品収納ケース５内の回転盤３５のラック４１が装置本体３内の駆動歯車９１とかみ合うことになる。物品収納ケース５内の物品Ａは安価なので、操作レバー７３を上方に押し上げると、コインセレクター９５がコイン１枚用となり、連結部材７５、アーム片７１を介して表示部材６５を回転させて、この物品収納ケース５内に収納された物品Ａの安い方の値段、内容等の表示面が前面側に位置する。さらに、表示部材６５の中心軸６７、クランク状の端部６９を介して連結杆６３を前方に引っ張り、開閉部材５３を物品収納ケース５の落下口４３の狭める方向に回動させる。落下口４３が開閉部材５３によって狭められているので、小さい物品Ａのみが落下可能になる。
【００１９】
開閉扉１１０を閉じると、開閉扉１１０の上端が物品収納ケース５の突起１９に係合し、物品収納ケース５は引き出せなくなる。この状態で、操作部材８１を回転させると、操作部材８１の回転が、回転軸８３、平歯車８５、小歯車９９、中間軸９７、小ウォーム歯車１０１、大ウォーム歯車１０５、回転軸１０３を介してコインセレクター９５の搬送円盤を回転させようとするが、コインが挿入されていないため、搬送円盤は回転することができず、従って操作部材８１は回転しない。コイン挿入口９３に不正コインを挿入しても搬送円盤が回らないため、操作部材８１は回転しない。
【００２０】
コイン挿入口９３に正しいコインを１枚挿入すると、コインセレクター９５の搬送円盤が回転可能となるため、操作部材８１は回転可能となる。操作部材８１を半回転させると、操作部材８１の回転が、回転軸８３、平歯車８５、小歯車８７、平歯車８９、駆動歯車９１、ラック４１を介して回転盤３５を僅かに回転させる。回転盤３５の収容孔３９に収容された物品Ａが物品収納ケース５の落下口４３の上部に運ばれて落下口４３に落下し、落下通路４９を介して物品取出口５１に落下する。物品取出口５１に落下した物品Ａは、開閉板１１５を押し開いて取り出すことができる。
【図面の簡単な説明】
【００２１】
【図１】本発明の一実施例に係る物品取出装置を示す斜視図である。
【図２】上記物品取出装置の物品収納ケースを引き出した状態を示す斜視図である。
【図３】上記物品取出装置の内部構造を示す斜視図である。
【図４】上記物品取出装置の内部構造を示す斜視図である。
【図５】上記物品取出装置の側面断面図である。
【符号の説明】
【００２２】
１  物品取出装置
３  装置本体
５  物品収納ケース
７  前壁
７ａ  開口
９  側壁
９ａ  開口
１１  側壁
１１ａ  開口
１３  後壁
１５  係合段部
１６  ガイドレール
１７  係合段部
１８  ガイドレール
１９  突起
２１  底壁
２３  係合溝
２５  係合溝
２７  前壁部
２９  側壁部
３１  側壁部
３３  凹部
３５  回転盤
３７  中心軸
３９  収容孔
４１  ラック
４３  落下口
４５  開口
４７  カバー部材
４９  落下通路
５１  物品取出口
５３  開閉部材
５５  受台
５７  支軸
５９  係止軸
６１  係合穴
６３  連結杆（連結部材）
６５  表示部材
６７  中心軸
６９  端部
７１  アーム片
７３  操作レバー
７４  支軸
７５  連結部材
８１  操作部材
８３  回転軸
８５  平歯車
８７  小歯車
８９  平歯車
９１  駆動歯車
９３  コイン挿入口
９５  コインセレクター
９７  中間軸
９９  小歯車
１０１  小ウォーム歯車
１０３  回転軸
１０５  大ウォーム歯車
１１０  開閉扉
１１３  窓部
１１５  開閉板
１１７  蓋体
Ａ  物品
【図１】
0003641787.tif 000002
【図２】
0003641787.tif 000003
【図３】
0003641787.tif 000004
【図４】
0003641787.tif 000005
【図５】
0003641787.tif 000006